(57)【要約】【課題】半二重通信システムを利用した携帯電話会議において、音声通話のみのコミュニケーションだけでなく、発言者に対する反応をアンケートによってリアルタイムに調査することができる電子会議システムを提供する。【解決手段】この電子会議システムは、複数の通信端末と電子会議サーバとを接続して半二重通信システムによって電子会議を行うものであって、前記通信端末がデータを送信できないときには該データを送信予約し、誰も発言していないことを検出したときには、前記送信予約したデータを前記電子会議サーバへ送信するものである。【選択図】図１
2007049424.tif 000002
【特許請求の範囲】
【請求項１】
複数の通信端末と電子会議サーバとを接続して半二重通信システムによって電子会議を行う電子会議システムにおいて、前記通信端末がデータを送信できないときには該データを送信予約し、誰も発言していないことを検出したとき、あるいは、発言権を得たときに、前記送信予約したデータを前記電子会議サーバへ送信することを特徴とする電子会議システム。
【請求項２】
請求項１に記載の電子会議システムにおいて、前記送信予約できるデータは、予め作成されたアンケートの配信要求、アンケートの回答結果、あるいは当該電子会議に関連する資料データの転送要求であることを特徴とする電子会議システム。
【請求項３】
請求項１に記載の電子会議システムにおいて、前記送信予約は、受信したアンケートに回答したときに予約されることを特徴とする電子会議システム。
【請求項４】
請求項２に記載の電子会議システムにおいて、前記電子会議サーバでは、通信端末からアンケート回答を受信するたびに集計して、該集計結果を当該電子会議のすべての参加者に配信することを特徴とする電子会議システム。
【請求項５】
請求項４に記載の電子会議システムにおいて、当該電子会議の開催前に、アンケートの回答を不在者投票として登録しておくと、該回答を含めて集計することを特徴とする電子会議システム。
【請求項６】
請求項４に記載の電子会議システムにおいて、棒グラフや色分けして視覚的にわかりやすい形式に変換して前記集計結果を作成することを特徴とする電子会議システム。
【請求項７】
請求項４に記載の電子会議システムにおいて、認識により回路結果を送信して前記集計結果を作成することを特徴とする電子会議システム。
【請求項８】
請求項１に記載の電子会議システムにおいて、当該電子会議の参加者として登録されていれば、前記集計結果を会議終了後にも確認することができることを特徴とする電子会議システム。
【請求項９】
請求項１に記載の電子会議システムにおいて、前記電子会議サーバが電子会議の途中で、誰も発言していない空き時間を検出した場合、この空き時間に当該電子会議のテーマに関連する情報やコマーシャルを、当該電子会議の参加者の通信端末へ配信することを特徴とする電子会議システム。
【請求項１０】
電子会議サーバと接続して半二重通信システムによって電子会議を行う通信端末において、データを送信できないときには該データを送信予約し、誰も発言していないことを検出したとき、あるいは、発言権を得たときに、前記送信予約したデータを前記電子会議サーバへ送信することを特徴とする通信端末。
【請求項１１】
複数の通信端末と電子会議サーバとを接続して半二重通信システムによって電子会議を行う通信方法において、前記通信端末がデータを送信できないときには該データを送信予約し、誰も発言していないことを検出したとき、あるいは、発言権を得たときに、前記送信予約したデータを前記電子会議サーバへ送信することを特徴とする通信方法。
【発明の詳細な説明】
【技術分野】
【０００１】
本発明は、電子会議システム、通信端末および通信方法に関し、特に、半二重通信システムによって複数の通信端末間で通信しているときのデータ転送やアンケート調査に関する。
【背景技術】
【０００２】
Push-to-Talk（ＰＴＴと略記する）は、インターネットプロトコルを利用してデータ通信網で通話を行う、いわゆるＶｏＩＰ（Voice over IP）の１つであり、携帯電話やＰＤＡ（Personal Digital Assistant）といった通信端末向けに開発されている（特許文献１参照）。特に、携帯電話向けでは、「Push-to-Talk over Cellular（ＰｏＣ）Phase One」が提出され、業界団体であるOpen Mobile Alliance（ＯＭＡ）で標準化が進められている。
【０００３】
ＰＴＴは、会話を開始するためには、ダイヤルを回す代わりに、事前に登録した通話可能な相手を選択して通話ボタンを押すと、トランシーバのように一方通行の通話を行い、通話ボタンを離すと、相手が通話ボタンを押して通話する。これを、交互に実行することによって、相互の会話が行われる。ＰＴＴによると、ダイヤルやネットワークへの接続が不要なため、通常通話よりもスピーディで安価に利用できる。
【０００４】
また、上記のように、１対１のやり取りだけではなく、話す相手をグループ化して複数の相手との同時接続も可能である。この場合は、通話ボタンを押している端末からの音声が、残りの全端末に送信されるので、電話会議のように発言者からのメッセージを同時に聞くことができる。
【０００５】
ところで、従来、会議や展示会等において、参加者に関する情報やプレゼンテーションに対する参加者の意見や感想を集める場合、専用のシステムを用いて有線や無線の入力端末でアンケートを回収する方法や、アンケート用紙を参加者に渡して回収するなどの方法が取られていた。
【０００６】
これらの方法によるアンケート収集では、専用システムや必要機材を持ち込む必要があったり、アンケートの集計時間がかかるため、参加者の反応をその場で確かめることができないという問題があった。
このため特許文献２の技術では、会場のアンケート対象者は携帯電話から個人情報やアンケートの回答等を入力し、ネットワークを介して、アンケート対象者から送られた情報や回答を集計、分析し、結果を表やグラフ等に変換して、会場の携帯電話或いはホームページ等にデータを送るようにした。
これにより、アンケート回答などのデータの収集を、インタラクティブに、かつ迅速に行うことができるようになった。
【０００７】
また、ネットワーク上でチャットを行い、ある製品等についての意見を収集することができる。このチャットはいわば、現実世界の座談会をネットワーク上で行ったものであり、地理的に離れた者を集めて座談会ができるとか、お互いの顔が見えないことで、座談会とは違った本音が聞きだせるなどの利点はある。
しかし、チャットによる意見収集では、チャットで発言をする極少数の者のみの意見を把握するに過ぎず、また、多数の者が発言すれば会話の流れに整理がつかなくなり、有効な意見を抽出することが困難であった。
【０００８】
特許文献３の技術は、ネットワーク上で、あるテーマについてモデレータとパネラーとオーディエンスとの３者でチャットを行い、そのテーマについて意見を集めるためのシステムであって、モデレータとパネラーには自由に発言をさせ、オーディエンスはチャットを見るだけで発言をさせないようにチャットシステムを構成する。また、モデレータからオーディエンスに適宜選択式の質問をすることができるようにチャットシステムを構成する。
これにより、ネットワークを利用して、容易に、短期間に、かつ広い範囲の者の意見を集めることができるようになった。
【０００９】
また、特許文献４の技術では、アンケート内容をサーバに登録しておき、携帯電話から接続してアンケートに回答し、その回答をサーバで集計しておき、アンケートを登録した人が集計結果をいつでも要求することができるようにした。
これにより、不特定多数人にアンケートを行うことができ、そのアンケートの集計結果を的確に得ることができる。
【特許文献１】特開２００５−１１７１９７号公報
【特許文献２】特開２００２−４１５８０号公報
【特許文献３】特開２００２−４１７５９号公報
【特許文献４】特開２００２−１０９１３６号公報
【発明の開示】
【発明が解決しようとする課題】
【００１０】
しかしながら、ＰｏＣを利用した通話は携帯電話と違い、話す相手と同時に話すことができない。また、半二重通話であるから話が終わるまでの間、パケット通信することもできないという制約がある。
よって、通信相手が返事をする場合は、回線が空いたときに発言権を得て行っており、データ通信を行う場合にも同様に回線の空いた時に通信しなければならない。
【００１１】
したがって、ＰｏＣを利用して会議を行っているときに、発言に関連したアンケートをとりたくても、タイミングよくアンケートを要求もできないし、また、その集計結果も得ることができない。さらに、関連した情報を転送することもできない。
上述した特許文献の技術は、ＰｏＣを利用している際のアンケート集計やデータ転送を扱ったものではなく、上記の問題点を解決するものではない。
【００１２】
本発明は、上述のような実情を考慮してなされたものであって、通信端末による半二重通信システムを利用した電子会議において、音声通話のみのコミュニケーションだけでなく、発言者に対する反応をアンケートによってリアルタイムに調査したり、関連情報のデータ転送ができる電子会議システム、通信端末および通信方法を提供することを目的とする。
【課題を解決するための手段】
【００１３】
上述した課題を解決するために、本発明は次のような構成をとる。
この電子会議システムは、複数の通信端末と電子会議サーバとを接続して半二重通信システムによって電子会議を行う電子会議システムであって、前記通信端末がデータを送信できないときには該データを送信予約し、誰も発言していないことを検出したとき、あるいは、発言権を得たときに、前記送信予約したデータを前記電子会議サーバへ送信するようにしたものである。
【００１４】
ここで、前記送信予約できるデータは、予め作成されたアンケートの配信要求、アンケートの回答結果、あるいは当該電子会議に関連する資料データの転送要求であって、前記送信予約は、受信したアンケートに回答したときに予約したり、資料データの転送要求をしたときに送信予約を行う。
【００１５】
前記電子会議サーバでは、通信端末からアンケート回答を受信するたびに、棒グラフや色分けして視覚的にわかりやすい形式に変換して集計結果を作成したり、音声認識により回答結果を送信して集計結果を作成し、該集計結果を当該電子会議のすべての参加者に配信する。
さらに、当該電子会議の開催前に、アンケートの回答を不在者投票することができ、この集計結果を計算するときに該回答を含めて集計し、前記集計結果は、当該電子会議の参加者であれば、会議終了後にも確認することができる。
【００１６】
また、前記電子会議サーバでは、電子会議の途中で、誰も発言していない空き時間を検出し、この空き時間に当該電子会議のテーマに関連する情報やコマーシャルを、当該電子会議の参加者の通信端末へ配信する。
【発明の効果】
【００１７】
本発明によれば、半二重通信システムを利用した通信端末による電子会議において、音声通話のみのコミュニケーションだけでなく、発言者に対する反応をアンケートによってリアルタイムに調査ができたり、関連情報をデータ転送できるので、会議参加者の意思疎通が容易になり、会議を円滑に進行することが可能となる。
【発明を実施するための最良の形態】
【００１８】
以下、図面を参照して本発明の電子会議システム、通信端末および通信方法に係る好適な実施形態について説明する。
【００１９】
図１は、本発明の実施形態に係る電子会議システムの全体構成を示す図であり、図１において、電子会議システムは、電子会議サーバ１００と、複数の通信端末２００とをネットワーク３００を介して接続している。
電子会議サーバ１００は、通信端末２００の会議への参加状況を管理するとともに、通信端末２００間での発言によるデータ（テキスト、音声、映像等）を仲介するコンピュータである。
各通信端末２００は、通信制御手段によりネットワーク３００に接続され、電子会議を行うユーザが操作する端末であり、パーソナルコンピュータ、ＰＤＡ（Personal Digital Assistant）、携帯電話機等のいずれであってもよい。
ネットワーク３００は、無線や有線によるネットワークであり、例えば、イントラネットやインターネットや携帯電話網等およびそれらの組み合わせからなっており、電子会議サーバ１００と各通信端末２００との通信は半二重通信にて行うものである。また、本実施形態では、半二重通信システムをＰｏＣ通信で使うものとして説明する。
【００２０】
電子会議サーバ１００は、通信端末２００とＩＰネットワークで接続され、ＰｏＣユーザとグループとを管理し、ＰｏＣ制御機能またはＰｏＣ参加機能を実行することによって、ＰｏＣサービスのためのアプリケーション・レベル・ネットワーク機能を実現する。
また、ＰｏＣ制御機能を実行している電子会議サーバ１００は、通信端末２００の参加者数だけのＳＩＰセッションを持ち、通信端末２００からの発言の制御は１つのＰｏＣセッションで行う。ＰｏＣ制御機能とＰｏＣ参加機能が通信を行い、ＰｏＣ参加機能から通信端末２００へ直接通信する。
【００２１】
次に、図２を用いて通信端末２００の構成を説明する。
通信端末２００は、無線電波を介して無線通信を行うときに、音声、文字、画像および映像データなどを送受信するアンテナ１と、受信時は、アンテナ１を介して受信したデータを復調し、送信時は、通信制御部３から送られてくるデータを変調して増幅し、アンテナ１を介して送信する無線部２と、無線部２が復調した受信データを所定の通信プロトコルに基づいて主制御部１２に送る通信制御部３と、数字や文字等のデータ入力や機能選択等の指示を含む各種情報を入力する操作部４と、制御プログラムや固定データ等を記憶するＲＯＭ、ＣＰＵの作業用記憶領域であるＲＡＭ等の半導体メモリ及びハードディスクなどからなり、受信又は入力された各種情報（文字、画像、音声、音および映像等）を記憶する記憶部５と、ＰＴＴによる通信の開始と終了を指示するＰＴＴスイッチ６と、無線部２によって送受信される映像を所定の信号処理をする映像処理部７と、操作部４によって入力された情報や記憶部５から読み出された情報や受信した映像情報を表示する表示部８と、無線部２によって送受信される無線信号に含まれる音声信号に所定の信号処理を施す音声処理部９と、ユーザから音声信号を入力するマイク１０と、受信した音声や操作音等を鳴らすスピーカ１１と、端末全体の動作を制御する主制御部１２とからなっている。
【００２２】
ＰＴＴスイッチ６は、図３に示すように通信端末２００の側面に設けられ、発言要求を行うときや、データを送信するときに押され、発言やデータ送信が終了したときに放すように操作する。
【００２３】
次に、図４および図５を用いて、本発明の基となる電子会議システムの動作について説明する。
図４は、端末Ａが同じグループの端末Ｂ，Ｃ，ＤへＰｏＣ通信するときの手順を示しており、図５は、各端末と電子会議サーバ（ＰｏＣサーバ）間でのデータの流れを示している。
まず、端末Ａ上でＰｏＣアプリケーションを呼び出し、表示された電話帳から通信相手のユーザまたはグループを選択し、ＰＴＴスイッチを押す。
端末ＡでＰＴＴスイッチが押されると、発言権要求が電子会議サーバに送られる。
電子会議サーバは、選択されたユーザまたはグループ内のユーザが誰も発言しておらず、他の端末から発言権要求が無かった場合、端末Ａの発言を許可し、発言許可を端末Ａへ返信する。
【００２４】
発言を許可された端末Ａは、データ（音声、画像、テキストや映像等）を電子会議サーバへ送信する。
電子会議サーバは、端末Ａの同じグループの他のメンバの端末（Ｂ，Ｃ，Ｄ）へ送られてきたデータを送信する。
端末Ｂ、端末Ｃおよび端末ＤでＰｏＣアプリケーションが起動しており、同じグループが選択されているときは、電子会議サーバからのデータが受信のみになっており、端末Ａが送信したデータを受信して、表示部やスピーカへ出力する。これにより、端末Ａが送信した同じ内容をリアルタイムで受信して表示することができる。
端末ＡでＰＴＴスイッチが放されると、発言権放棄が電子会議サーバへ送信される。
電子会議サーバでは、端末Ａから発言権放棄が送られてくると、端末Ａの発言権を消滅させて、他の端末からの発言要求を受け付けられるようになる。
【００２５】
次に、端末Ｂが発言したいときには、同様にしてＰＴＴスイッチを押して、発言要求を行い、許可された場合にデータ（音声や画像）を送信する。端末Ｂが送信したデータは、端末Ａ、端末Ｃおよび端末Ｄで受信のみ可能である。
以降、発言権を要求するときには、ＰＴＴスイッチを押し、発言放棄の時にはＰＴＴスイッチを放すことによって、グループ内の各ユーザ間で音声や映像等のデータを交換することができる。
【００２６】
ＰｏＣによる通信では、グループ内の各メンバと電子会議サーバとの間での通信状況が、常に電子会議サーバから各端末に通知され、この状況が各端末に表示される。この状況を参加者が見ることによって、自分がいつ発言したらよいかを知ることができる。
【００２７】
次に、本実施形態に係る電子会議システムでアンケートをとる場合について説明する。
電子会議システムでアンケートをとる場合には、予めアンケートを作成しておき電子会議サーバに登録しておく。
発言者は、自分の通信端末から予めアンケート内容を、音声もしくはエディットボックスから入力して電子会議サーバに登録する。この記録方法には、１つの会議でしか利用されない一時形式と、他の会議でも利用できる再利用可能なテンプレート形式とがある。
【００２８】
図６のフローチャートを用いて、アンケート項目の登録処理について説明する。
まず、アンケート項目を音声によって登録する指定が発言者の通信端末から指定されると（ステップＳ１／ＹＥＳ）、電子会議サーバから図７（Ａ）に例示したように、
「アンケート集計項目の自動登録を開始します。
ボタン１のアンケート内容を読み上げて下さい。
ピー・・・・・・
最後の項目の時は終わりと言って下さい。」
と言った音声ガイドがされるので、そのガイドにしたがってアンケート項目を発声で入力する（ステップＳ２）。
一方、エディットボックスにより登録する場合（ステップＳ１／ＮＯ）、電子会議サーバから図７（Ｂ）に例示したように、エディットボックスが表示されるので、直接通信端末からアンケート項目を入力する（ステップＳ３）。
【００２９】
音声入力されたアンケート項目あるいはエディットボックスで入力されたアンケート項目は、アンケートレイアウトに配置されて、発言者と電子会議と関連付けてアンケート記憶部に登録する（ステップＳ４）。
通信端末からテンプレートとして登録する旨の指示が入力されると（ステップＳ５／ＹＥＳ）、アンケート記録部に登録されたアンケートを共用領域のアンケートテンプレート記憶部にも保存する（ステップＳ６）。
また、通信端末から一時的に利用する旨の指示が入力されていると（ステップＳ５／ＮＯ）、アンケート記録部は一時的利用として記憶されるのみである。
【００３０】
また、当日会議に参加できない参加者がいる場合、予めアンケート記録部にアクセスして、先に回答送信して、アンケート記録部へ回答者と対応付けて記憶させておく。
また、電子会議の同じグループリストの参加者（出席・欠席を問わず）については、会議終了後でも、アンケート記憶部からアンケート結果を確認できる。
【００３１】
次に、電子会議を開催しているときに送られるアンケート依頼・回収・集計結果の配信、あるいは関連資料のデータ転送について説明する。
図８は、各端末と電子会議サーバ間の通信タイミングを示し、図９は、各端末の画面に表示される各参加者の状態表示例である。図８において、端末１，２，３はそれぞれＡさん、Ｂさん、Ｄさんが所有しているものとして説明する。
【００３２】
Ａさんが発言したいとして、端末１のＰＴＴスイッチを押下して、電子会議サーバに発言要求を送る。
電子会議サーバでは、他の参加者が発言していないことを確認して発言を許可し、端末１（Ａさん）が「発言中」のステータスを記憶するとともに、端末１へ発言許可信号を返信する。また、電子会議のステータスが変わると、そのステータスがすべての参加者（Ａさん、Ｂさん、Ｄさん）の端末に配信される。これにより、各参加者の表示部の画面には、図９（Ａ）のような「Ａさん  発言中」の状態表示がされる。
この発言許可信号を受信した端末１では、以後、Ａさんが音声、テキスト、映像等による発言およびアンケート依頼要求を行う。
【００３３】
次に、Ａさんが発言中に、予めアンケート記憶部に記憶させたアンケート内容の配布を電子会議サーバに依頼すると、電子会議サーバは、指定されたアンケートをアンケート記憶部から取り出して、Ａさん以外の参加者（Ｂさん、Ｄさん）の端末へアンケートを配信する。このときに参加者の端末の画面には図９（Ｂ）のような「アンケート配信中」の状態が表示される。
あるいは、会議の参加者（Ａさん）が発言権のないときに、アンケート依頼要求を送信予約として記憶部に登録しておき、発言者のＡさんが端末１のＰＴＴスイッチを押下して発言権を得たときに、登録しておいたアンケート依頼要求を自動的にＡさん以外の参加者の端末へ配信するものとしてもよい。
【００３４】
Ａさん以外の参加者（Ｂさん、Ｄさん）の端末の表示部には、配信されたアンケート内容が表示される。または、音声によるアンケートの時にはスピーカにアンケートの内容が出力される。
アンケート内容を受信した参加者は、端末の操作部のボタンを押下して回答を作成したり、または、「はい、いいえ、いちばん、にばん」等の音声入力を行って、この音声を音声認識して回答を作成する。
しかし、Ａさんが発言中には、他の参加者（Ｂさん、Ｄさん）の端末は、発言者Ａさんの端末１に回線を占有されているので、作成されたアンケートの回答を電子会議サーバへ送信することができない。したがって、作成された回答は各参加者の端末に送信予約として記憶部へ記憶される。
【００３５】
また、自分以外が発言しているときに、会議に関連のある資料（文書、音声、画像や映像等）を配信したいときにも、すぐに配信できないので、アンケート回答と同様に送信予約しておく。
【００３６】
その後、Ａさんが端末１のＰＴＴスイッチを放して、発言権の放棄要求を電子会議サーバへ送信すると、電子会議サーバは端末１（Ａさん）の「発言中」のステータスを「参加中」に変更して、すべての参加者へステータスの変更を配信すると、参加者の端末には図９（Ｃ）のように状態表示される。
【００３７】
各参加者の端末は、電子会議サーバから送られてきた会議のステータス「発言者なし」を検出すると、記憶部に送信予約が記憶されていれば、この予約されたアンケートの回答や資料等を一括して電子会議サーバへ送信する。
電子会議サーバは、各端末から送信された回答や資料を受信する。このとき、受信は１つの端末が送信を完了すると、次の端末からの送信を受信するという具合に、順番に受信することになる。また、端末から受信中のステータスは、図９（Ｄ）に示したようにどの参加者からの受信であるかを示す「Ｂさん  投票中」等のステータスをすべての参加者の端末へ配信する。
【００３８】
電子会議サーバでは、回答を受信すると、受信ごとにアンケートを集計する。
この集計では、アンケートを配信したすべての参加者からの回答を待たずに、１つの回答が到着しだい、集計がなされる。また、会議に不参加の参加者から事前にアンケートの回答をもらっていれば、それらも含めて集計がされる。
集計した結果は、棒グラフや色分け等で結果が視覚的にわかりやすい表示となるように変換され、アンケートの内容と関連付けてアンケート記憶部に記憶される。また、この集計結果を音声に変換するようにしてもよい。
【００３９】
そして、集計されるたびに、集計結果を参加者全員に配信する。このときの各端末の表示部には、図９（Ｆ）に示したように「投票結果配信中」の状態表示がされ、受信が完了すると、集計結果が表示あるいは音声にて出力される。
また、各端末では、集計結果を受信するたびに、アンケート結果が追加更新されたことがわかるように表示、もしくは音声出力がなされ、アンケート依頼したすべての参加者から回答が集まるまで繰り返される。
【００４０】
図１０は、Ａさんの発言内容に対して賛否を問うアンケートの表示結果例である。
この図１０では、Ａさんが発言した後、その発言に対して賛否を問うアンケートを他の参加者（Ｂさん、Ｃさん、Ｄさん、Ｅさん）へ配信する。
アンケートを受け取った各参加者は、各自の立場を反映した選択肢を選択する。各参加者の端末は、選択されるとその回答を送信予約に記憶する。
Ａさんがアンケートの集計結果を見るために、発言権を放棄すると、各端末で送信予約された回答や関連資料が電子会議サーバに送信される。
電子会議サーバでは、回答を集計して、すべての参加者の端末へ集計結果を配信する。
各端末では、棒グラフや色分け等で視覚的にわかりやすく表現された集計結果を表示部へ表示する。または、集計結果が音声変換されている場合には、集計結果をスピーカに出力する。
【００４１】
上記のアンケート結果は、グループメンバ登録されているが、当日会議に参加できなかった参加者、会議途中で退出した参加者やすべての参加者は、会議終了後、アンケート記憶部にアクセスして、記憶されたアンケート集計結果を確認することができる。
【００４２】
また、電子会議の途中で、誰も発言していない空き時間が生じてしまった場合、電話会議システムの運営体が、会議のテーマに関する情報やコマーシャルを各参加者の端末へ配信するようにしてもよい。これにより、会議途中に生じた無音区間がなくなり、気まずさがなくなるとともに、電子会議システムの運営企業体の宣伝活動にも役立てることができる。
【００４３】
以上のように実施形態を構成すると、半二重通信システムを利用した通信端末で電子会議を行うときに、会議進行に影響を与えないように会話の空いた時間を利用して、各種のデータ（文書、映像などの情報）を各参加者に配布したり、アンケート要求と集計結果の配信ができる。
【００４４】
また、上述した実施形態を構成する電子会議サーバあるいは通信端末の各機能をそれぞれプログラム化して、予め記録媒体に書き込んでおき、この記録媒体に記録されたこれらのプログラムを電子会議サーバあるいは通信端末で実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
【００４５】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納されたプログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００４６】
【図１】本発明に係る電子会議システムのシステム構成を示す図である。
【図２】本発明に係る電子会議システムで用いられる携帯端末の構成を説明する図である。
【図３】携帯端末のＰＴＴスイッチを説明する図である。
【図４】ＰｏＣによって行われるグループ通信を説明する図である。
【図５】ＰｏＣ通信で、発言権獲得からデータの送信と発言権放棄のタイミングを説明する図である。
【図６】アンケート項目を事前登録するときの処理手順を示すフローチャートである。
【図７】アンケート項目を登録するときのイメージを説明する図である。
【図８】各端末と電子会議サーバ間の通信タイミングを示す図である。
【図９】各端末の画面に表示される各参加者の状態表示例である。
【図１０】発言内容に対して賛否を問うアンケートの表示結果例である。
【符号の説明】
【００４７】
１…アンテナ、２…無線部、３…通信制御部、４…操作部、５…記憶部、６…ＰＴＴスイッチ、７…映像処理部、８…表示部、９…音声処理部、１０…マイク、１１…スピーカ、１２…主制御部、１００…電子会議サーバ、２００…通信端末、３００…ネットワーク。
【図１】
2007049424.tif 000003
【図２】
2007049424.tif 000004
【図３】
2007049424.tif 000005
【図４】
2007049424.tif 000006
【図５】
2007049424.tif 000007
【図６】
2007049424.tif 000008
【図７】
2007049424.tif 000009
【図８】
2007049424.tif 000010
【図９】
2007049424.tif 000011
【図１０】
2007049424.tif 000012